【手続補正書】
【提出日】平成22年3月12日(2010.3.12)
【手続補正１】
【補正対象書類名】明細書
【補正対象項目名】特許請求の範囲
【補正方法】変更
【補正の内容】
【特許請求の範囲】
【請求項１】  ホスト装置に接続された情報機器のバージョンアップを行うために前記ホスト装置にて行われる情報処理方法であって、
前記情報機器から出力制御用ファームウェアの既存バージョンを読み出して、当該既存バージョンが最新バージョンと一致しているか否かを比較する比較工程と、
前記比較により一致していない場合、最新バージョンの出力制御用ファームウェアを前記情報機器へ転送する転送工程と、
前記転送した最新バージョンが、前記既存バージョンに代わって正しく書き換えられているか否かを判断する判断工程と、
前記判断結果に応じて、前記最新バージョン又は前記既存バージョンのいずれかを選択して、所定の出力処理を実行させる制御工程と
を具えたことを特徴とする情報処理方法。
【請求項２】  前記制御工程は、  前記最新バージョンが前記既存バージョンに代わって正しく書き換えられている場合は、当該最新バージョンを用いて所定の出力処理を実行させる工程と、
前記最新バージョンが前記既存バージョンに代わって正しく書き換えられていない場合は、前記最新バージョンの書き換え処理を再度実行するか、又は、現在使用している既存バージョンを用いて所定の出力処理を実行させる工程と
を含むことを特徴とする請求項１記載の情報処理方法。
【請求項３】  前記情報機器において、  前記既存バージョンの出力制御用ファームウェアは、第１記憶媒体であるＲＯＭに記憶され、
前記書き換え用として用いられる最新バージョンの出力制御用ファームウェアは、第２記憶媒体であるＲＡＭに記憶され、
該第２記憶媒体上でバージョンデータの展開および選択の処理を実行することを特徴とする請求項１又は２記載の情報処理方法。
【請求項４】  前記情報機器からの前記既存バージョンの出力制御用ファームウェアの読み出しは、ＤＭＡサイクルによって実行することを特徴とする請求項１ないし３のいずれかに記載の情報処理方法。
【請求項５】  ホスト装置に接続された情報機器のバージョンアップを行う情報処理システムであって、
前記ホスト装置は、
前記情報機器から出力制御用ファームウェアの既存バージョンを読み出して、当該既存バージョンが最新バージョンと一致しているか否かを比較する比較手段と、
前記比較により一致していない場合、最新バージョンの出力制御用ファームウェアを前記情報機器へ転送する転送手段と、
前記転送した最新バージョンが、前記既存バージョンに代わって正しく書き換えられているか否かを判断する判断手段と、
前記判断結果に応じて、前記最新バージョン又は前記既存バージョンのいずれかを選択して、所定の出力処理を実行させる制御手段と
を具えたことを特徴とする情報処理システム。
【請求項６】  前記制御手段は、
前記最新バージョンが前記既存バージョンに代わって正しく書き換えられている場合は、当該最新バージョンを用いて所定の出力処理を実行させる手段と、
前記最新バージョンが前記既存バージョンに代わって正しく書き換えられていない場合は、前記最新バージョンの書き換え処理を再度実行するか、又は、現在使用している既存バージョンを用いて所定の出力処理を実行させる手段と
を含むことを特徴とする請求項５記載の情報処理システム。
【請求項７】  前記情報機器において、
前記既存バージョンの出力制御用ファームウェアは、第１記憶媒体であるＲＯＭに記憶され、
前記書き換え用として用いられる最新バージョンの出力制御用ファームウェアは、第２記憶媒体であるＲＡＭに記憶され、
該第２記憶媒体上でバージョンデータの展開および選択の処理を実行することを特徴とする請求項５又は６記載の情報処理システム。
【請求項８】  前記情報機器からの前記既存バージョンの出力制御用ファームウェアの読み出しは、ＤＭＡサイクルによって実行することを特徴とする請求項５ないし７のいずれかに記載の情報処理システム。
【請求項９】  前記情報機器は、
バージョンアップに係る情報処理の制御を行う同一の制御基板上に、ＣＰＵ、ＲＡＭ、ＲＯＭ、論理回路、モータドライバを有することを特徴とする請求項５ないし８のいずれかに記載の情報処理システム。
【請求項１０】  情報機器のバージョンアップを行うホスト側の装置であって、
前記情報機器から出力制御用ファームウェアの既存バージョンを読み出して、当該既存バージョンが最新バージョンと一致しているか否かを比較する比較手段と、
前記比較により一致していない場合、最新バージョンの出力制御用ファームウェアを前記情報機器へ転送する転送手段と、
前記転送した最新バージョンが、前記既存バージョンに代わって正しく書き換えられているか否かを判断する判断手段と、
前記判断結果に応じて、前記最新バージョン又は前記既存バージョンのいずれかを選択して、所定の出力処理を実行させる制御手段と
を具えたことを特徴とする情報処理装置。
【請求項１１】  ホスト装置に接続された情報機器のバージョンアップを制御するための方法をコンピュータによって実行するための情報処理制御プログラムであって、該プログラムは、コンピュータによって読み取り可能な記録媒体に記録されており、前記方法は、
前記情報機器から出力制御用ファームウェアの既存バージョンを読み出し、当該既存バージョンが最新バージョンと一致しているか否かを比較する工程と、
前記比較により一致していない場合、最新バージョンの出力制御用ファームウェアを前記情報機器へ転送する工程と、
前記転送した最新バージョンが、前記既存バージョンに代わって正しく書き換えられているか否かを判断する工程と、
前記判断結果に応じて、前記最新バージョン又は前記既存バージョンのいずれかを選択して、所定の出力処理を実行させる工程と
を具えたことを特徴とする情報処理制御プログラム。
【請求項１２】  ホスト装置に接続された情報機器のバージョンアップをコンピュータによって制御するための情報処理制御プログラムを記録した媒体であって、
該情報処理制御プログラムはコンピュータに、
前記情報機器から出力制御用ファームウェアの既存バージョンを読み出させて、当該既存バージョンが最新バージョンと一致しているか否かを比較させ、
前記比較により一致していない場合、最新バージョンの出力制御用ファームウェアを前記情報機器へ転送させ、
前記転送させた最新バージョンが、前記既存バージョンに代わって正しく書き換えられているか否かを判断させ、
前記判断結果に応じて、前記最新バージョン又は前記既存バージョンのいずれかを選択させて、所定の出力処理を実行させることを特徴とする情報処理制御プログラムを記録した媒体。
【手続補正２】
【補正対象書類名】明細書
【補正対象項目名】０００８
【補正方法】変更
【補正の内容】
【０００８】
【課題を解決するための手段】
本発明は、ホスト装置に接続された情報機器のバージョンアップを行うために前記ホスト装置にて行われる情報処理方法であって、前記情報機器から出力制御用ファームウェアの既存バージョンを読み出して、当該既存バージョンが最新バージョンと一致しているか否かを比較する比較工程と、前記比較により一致していない場合、最新バージョンの出力制御用ファームウェアを前記情報機器へ転送する転送工程と、前記転送した最新バージョンが、前記既存バージョンに代わって正しく書き換えられているか否かを判断する判断工程と、前記判断結果に応じて、前記最新バージョン又は前記既存バージョンのいずれかを選択して、所定の出力処理を実行させる制御工程とを具えることによって、情報処理方法を提供する。
【手続補正３】
【補正対象書類名】明細書
【補正対象項目名】０００９
【補正方法】変更
【補正の内容】
【０００９】
本発明は、ホスト装置に接続された情報機器のバージョンアップを行う情報処理システムであって、前記ホスト装置は、前記情報機器から出力制御用ファームウェアの既存バージョンを読み出して、当該既存バージョンが最新バージョンと一致しているか否かを比較する比較手段と、前記比較により一致していない場合、最新バージョンの出力制御用ファームウェアを前記情報機器へ転送する転送手段と、前記転送した最新バージョンが、前記既存バージョンに代わって正しく書き換えられているか否かを判断する判断手段と、前記判断結果に応じて、前記最新バージョン又は前記既存バージョンのいずれかを選択して、所定の出力処理を実行させる制御手段とを具えることによって、情報処理システムを提供する。
【手続補正４】
【補正対象書類名】明細書
【補正対象項目名】００１０
【補正方法】変更
【補正の内容】
【００１０】
本発明は、情報機器のバージョンアップを行うホスト側の装置であって、前記情報機器から出力制御用ファームウェアの既存バージョンを読み出して、当該既存バージョンが最新バージョンと一致しているか否かを比較する比較手段と、前記比較により一致していない場合、最新バージョンの出力制御用ファームウェアを前記情報機器へ転送する転送手段と、前記転送した最新バージョンが、前記既存バージョンに代わって正しく書き換えられているか否かを判断する判断手段と、前記判断結果に応じて、前記最新バージョン又は前記既存バージョンのいずれかを選択して、所定の出力処理を実行させる制御手段とを具えることによって、情報処理装置を構成する。
【手続補正５】
【補正対象書類名】明細書
【補正対象項目名】００１１
【補正方法】変更
【補正の内容】
【００１１】
本発明は、ホスト装置に接続された情報機器のバージョンアップを制御するための方法をコンピュータによって実行するための情報処理制御プログラムであって、該プログラムは、コンピュータによって読み取り可能な記録媒体に記録されており、前記方法は、前記情報機器から出力制御用ファームウェアの既存バージョンを読み出し、当該既存バージョンが最新バージョンと一致しているか否かを比較する工程と、前記比較により一致していない場合、最新バージョンの出力制御用ファームウェアを前記情報機器へ転送する工程と、前記転送した最新バージョンが、前記既存バージョンに代わって正しく書き換えられているか否かを判断する工程と、前記判断結果に応じて、前記最新バージョン又は前記既存バージョンのいずれかを選択して、所定の出力処理を実行させる工程とを具えることによって、情報処理制御プログラムを提供する。
【手続補正６】
【補正対象書類名】明細書
【補正対象項目名】００１２
【補正方法】変更
【補正の内容】
【００１２】
本発明は、ホスト装置に接続された情報機器のバージョンアップをコンピュータによって制御するための情報処理制御プログラムを記録した媒体であって、該情報処理制御プログラムはコンピュータに、前記情報機器から出力制御用ファームウェアの既存バージョンを読み出させて、当該既存バージョンが最新バージョンと一致しているか否かを比較させ、前記比較により一致していない場合、最新バージョンの出力制御用ファームウェアを前記情報機器へ転送させ、前記転送させた最新バージョンが、前記既存バージョンに代わって正しく書き換えられているか否かを判断させ、前記判断結果に応じて、前記最新バージョン又は前記既存バージョンのいずれかを選択させて、所定の出力処理を実行させることによって、情報処理制御プログラムを記録した媒体を提供する。